(57)【特許請求の範囲】
【請求項１】
平面平板上の固定台、前記固定台に装着された車輪、及び駆動車へのけん引装置からなるシャシーの上部に配置した上部構造物からなる上部一体型トレーラーであって、
前記上部構造物は、前記シャシーに溶接により固定されており、
前記上部構造物は内壁で２つの居室に区切られており、
前記居室のそれぞれに２段式のカプセルベッド設備を備えることを特徴とする上部一体型トレーラー。
【請求項２】
平面平板上の固定台、前記固定台に装着された車輪、及び駆動車へのけん引装置からなるシャシーの上部に配置した上部構造物からなる上部一体型トレーラーであって、
前記上部構造物は、前記シャシーに溶接により固定されており、
前記上部構造物は内壁で男女別のトイレ室に区切られており、
前記トイレ室のそれぞれに複数台のトイレ設備を備えることを特徴とする上部一体型トレーラー。
【請求項３】
平面平板上の固定台、前記固定台に装着された車輪、及び駆動車へのけん引装置からなるシャシーの上部に配置した上部構造物からなる上部一体型トレーラーであって、
前記上部構造物は、前記シャシーに溶接により固定されており、
前記上部構造物は内壁で男女別の部屋に区切られており、
前記部屋のそれぞれに複数台のシャワー設備を備えることを特徴とする上部一体型トレーラー。
【請求項４】
エアコン設備及び空気清浄設備のうち少なくとも一方の装置を備えることを特徴とする請求項１から請求項３のいずれか一項に記載の上部一体型トレーラー。
【発明の詳細な説明】
【技術分野】
【０００１】
本発明は、上部一体型トレーラーに関する。
【背景技術】
【０００２】
一般に移動式の家屋等としては、車両に備え付けのものや、家屋そのものに車輪を付けてけん引するもの等が知られている。また、シャシーと呼ばれる台車の上に載せて運搬する家屋もある。シャシーとは、トレーラーの場合、平面平板上の固定台と、固定台に装着された車輪と、駆動車へのけん引装置（フック）からなる。
【０００３】
近年、シャシーを購入して上部構造物（カラオケユニット、ライブユニット、映写ユニット等）を着脱可能に固定して販売されている。このように、従来シャシーに様々な設備を配置して運用したいという要望があった。
【０００４】
特許文献１には、コンテナ積載専用車台の上に、コンテナを積載し、前記の車台とコンテナとは少なくとも四隅において嵌め込んで固定され、前記コンテナには窓及び設備配線又は配管用の開口部が設けられると共に、コンテナ外部において木製の外壁を設けると共に、コンテナ内部において木製の内壁を設け、コンテナと内壁との間には断熱材を充填し、コンテナ内部の室内空間には、キッチンスペースと、就寝スペースと、シャワースペースとが設けられ、室内空間の設備には、少なくとも蓄電池が備えられ、前記の蓄電池から配線用の開口部を介して接続されて、コンテナ上面の屋根には太陽光発電システムが備えられたことを特徴とする、自然エネルギー利用のトレーラーハウスが記載されている。
【０００５】
また、特許文献２には、映写ユニット、演芸・演劇・音楽演奏ライブユニット、カラオケユニット、囲碁・将棋所ユニット、スロットマシーンユニット、ぱちんこホールユニット、ビリヤードユニット、マージャンユニットの２ユニット又は３ユニットの組み合わせからなる用途限定構造を有する装備限定のコンテナハウス又はトレーラーハウスにおいて、ハウス本体内に各ユニットを着脱可能に設けてなる装備限定のコンテナハウス又はトレーラーハウスが記載されている。
【先行技術文献】
【特許文献】
【０００６】
【特許文献１】実登第３２２４７８４号公報
【特許文献２】特許第６３１２７６２号公報
【発明の概要】
【発明が解決しようとする課題】
【０００７】
近年、様々な生活設備を移動可能に設置したいという要望がある。しかし、上述した従来の技術では、キッチンスペース、就寝スペース及びシャワースペースを備える、あるいは映写ユニット、演芸・演劇・音楽演奏ライブユニット、カラオケユニット、囲碁・将棋所ユニット、スロットマシーンユニット、ぱちんこホールユニット、ビリヤードユニット、マージャンユニットを備えるものであり、その仕様用途が限定され、現在要望されている様々な用途の需要に応え切れないという問題がある。
【０００８】
そこで本発明は、要望されている様々な用途に応えることができる上部一体型トレーラーを提供することを目的とする。
【課題を解決するための手段】
【０００９】
前記課題を解決する請求項１に記載の発明は、平面平板上の固定台、前記固定台に装着された車輪、及び駆動車へのけん引装置からなるシャシーの上部に配置した上部構造物からなる上部一体型トレーラーであって、前記上部構造物は、前記シャシーに溶接により固定されており、前記上部構造物は内壁で２つの居室に区切られており、前記居室のそれぞれに２段式のカプセルベッド設備を備えることを特徴とする上部一体型トレーラーである。
【００１０】
同じく、請求項２に記載の発明は、平面平板上の固定台、前記固定台に装着された車輪、及び駆動車へのけん引装置からなるシャシーの上部に配置した上部構造物からなる上部一体型トレーラーであって、前記上部構造物は、前記シャシーに溶接により固定されており、前記上部構造物は内壁で男女別のトイレ室に区切られており、前記トイレ室のそれぞれに複数台のトイレ設備を備えることを特徴とする上部一体型トレーラーである。
【００１１】
同じく、請求項３に記載の発明は、平面平板上の固定台、前記固定台に装着された車輪、及び駆動車へのけん引装置からなるシャシーの上部に配置した上部構造物からなる上部一体型トレーラーであって、前記上部構造物は、前記シャシーに溶接により固定されており、前記上部構造物は内壁で男女別の部屋に区切られており、前記部屋のそれぞれに複数台のシャワー設備を備えることを特徴とする上部一体型トレーラーである。
【００１２】
同じく、請求項４に記載の発明は、エアコン設備及び空気清浄設備のうち少なくとも一方の装置を備えることを特徴とする。
【発明の効果】
【００１３】
本発明に係る上部一体型トレーラーによれば、様々な用途に需要がある上部一体型トレーラーを提供できる。
【００１４】
即ち、請求項１に記載の上部一体型トレーラーによれば、上部構造物は、前記シャシーに固定されているので、上部構造物とシャシーとがずれたりがたついたりせず振動が少なく、破損のおそれがない。このため、安全に輸送することができる他、設置後におけるカプセルベッドの使用時においても安心して使用することができる。
【００１５】
また、１台の一体型トレーラーを配置するだけで、２段式のカプセルベッドを配置した２つの居室を備えるので、所望の箇所に２室に分かれた良好な就寝設備を設置できる。即ち、上部一体型トレーラーを必要な場所に必要な時期に配置できるため、２室の就寝施設として常設することができる他、臨時や緊急の際に就寝施設として提供できる。
【００１６】
また、請求項２に係る上部一体型トレーラーによれば、上部構造物は、前記シャシーに固定されているので、上部構造物とシャシーとがずれたりがたついたりせず振動が少なく、破損のおそれがない。このため、安全に輸送することができる他、設置後におけるトイレ施設の使用時においても安心して使用することができる。
【００１７】
また、上部構造物は男女別のトイレ室にトイレ設備を備えるので、所望の箇所に男女別の良好なトイレ設備を設置できる。即ち、上部一体型トレーラーを必要な場所に必要な時期に配置できるため、トイレ施設として常設することができる他、臨時や緊急の際に仮設トイレ施設として提供できる。
【００１８】
また、請求項３に係る上部一体型トレーラーによれば、上部構造物は、前記シャシーに固定されているので、上部構造物とシャシーとがずれたりがたついたりせず振動が少なく、破損のおそれがない。このため、安全に輸送することができる他、設置後におけるシャワー施設の使用時においても安心して使用することができる。
【００１９】
また、上部構造物は男女別の部屋にシャワー設備を備えるので、所望の箇所に良好なシャワー設備を設置できる。即ち、上部一体型トレーラーを必要な場所に必要な時期に配置できるため、男女別のシャワー施設として常設することができる他、臨時や緊急の際、仮設のシャワー施設として提供できる。
【００２０】
そして、請求項５に係る上部一体型トレーラーによれば、エアコン設備及び空気清浄設備のうち少なくとも一方の装置を備えるので、宿泊施設、トイレ施設、シャワー施設を配置した上部構造物の冷暖房、空気清浄を行うことができ、生活環境を良好にできる。
【図面の簡単な説明】
【００２１】
【図１】本発明の第１実施形態に係る上部一体型トレーラーを示す平面図である。
【図２】本発明の第１実施形態に係る同上部一体型トレーラーを示すものであり、（ａ）は正面図、（ｂ）は右側面面図、（ｃ）は背面図、（ｄ）は左側面図である。
【図３】本発明の第２実施形態に係る上部一体型トレーラーを示す平面図である。
【図４】本発明の第２実施形態に係る同上部一体型トレーラーを示すものであり、（ａ）は正面図、（ｂ）は右側面面図、（ｃ）は背面図、（ｄ）は左側面図である。
【図５】本発明の第３実施形態に係る上部一体型トレーラーを示す平面図である。
【図６】本発明の第３実施形態に係る同上部一体型トレーラーを示すものであり、（ａ）は正面図、（ｂ）は右側面面図、（ｃ）は背面図、（ｄ）は左側面図である。面図、（ｂ）は右側面面図、（ｃ）は背面図、（ｄ）は左側面図である。
【発明を実施するための形態】
【００２２】
本発明を実施するための形態に係る上部一体型トレーラーについて説明する。
【００２３】
＜第１実施形態＞
第１実施形態に係る上部一体型トレーラーは、上部構造物に前記生活設備として、カプセルベッド設備を備えたものである。図１は本発明の第１実施形態に係る上部一体型トレーラーを示す平面図、図２は本発明の第１実施形態に係る同上部一体型トレーラーを示すものであり、（ａ）は正面図、（ｂ）は右側面面図、（ｃ）は背面図、（ｄ）は左側面図である。
【００２４】
図２に示すように、上部一体型トレーラー１０は、シャシー１１と、このシャシー１１の上部に溶接等で固定配置された上部構造物２０とからなる。シャシー１１は、平面平板上の固定台１２、この固定台に装着された車輪１３、１３、及び駆動車へのけん引装置１４を備える。このため、上部一体型トレーラー１０は、駆動車でけん引して所望の箇所に移動して設置できる。
【００２５】
この上部一体型トレーラー１０において、上部構造物２０は、シャシー１１に溶接等で固定されている。また、上部構造物２０は、正面壁２１ａ、右壁２１ｂ、背面壁２１ｃ、左壁２１ｄ、屋根２１ｅを備える。そして、右壁２１ｂ、左壁２１ｄには、外側に向けて開くドア２２、正面壁２１ａには引き違い式のサッシュ窓２３が２つ配置されている。また、右壁２１ｂ及び左壁２１ｄには、エアコン設備２４が配置されている。エアコン設備や図示していない照明等には外部から電力が供給できる。なお、屋根２１ｅは雨勾配を備える。
【００２６】
また、図１に示すように、上部構造物２０の内部は内壁２５で仕切られ、２つの居室３０、３０を備える。各居室３０、３０には、それぞれ２段式のカプセルベッド設備３１が配置されている。カプセルベッド設備３１は、上下２段のベッドを備え、２名が就寝可能である。なお、図中符号３２はカプセルベッド設備３１の手すり、３３は使用者が上段ベッドに移動するためのステップを示している。
【００２７】
本実施形態に係る上部一体型トレーラー１０によれば、２つの居室３０、３０にはカプセルベッド設備３１とエアコン設備２４とが配置されているので各居室３０において２名、全体で４名が快適に就寝できる。
【００２８】
このため、本実施形態に係る上部一体型トレーラー１０によれば、必要な場所に必要な時期に配置して宿舎等として常設することができる他、臨時や緊急の際、必要な箇所に移動して設置することで臨時宿泊施設を提供できる。
【００２９】
また、本実施形態に係る上部一体型トレーラー１０は、上部構造物２０がシャシー１１に固定されているので、上部構造物２０とシャシー１１とがずれたりがたついたりせず振動が少なく、破損のおそれがない。このため、安全に輸送することができる他、設置後における生活設備の使用時においても安心して使用することができる。
【００３０】
＜第２実施形態＞
第２実施形態に係る上部一体型トレーラーは、上部構造物に前記生活設備としてシャワー設備を備えたものである。図３は本発明の第２実施形態に係る上部一体型トレーラーを示す平面図、図４は本発明の第２実施形態に係る同上部一体型トレーラーを示すものであり、（ａ）は正面図、（ｂ）は右側面図、（ｃ）は背面図、（ｄ）は左側面図である。
【００３１】
図３に示すように、上部一体型トレーラー４０は、第１実施形態に係る上部一体型トレーラー１０と同じ構成のシャシー１１とこのシャシー１１の上部に配置された上部構造物５０とからなる。このため、上部一体型トレーラー４０は、駆動車でけん引して所望の箇所に移動して設置できる。
【００３２】
この上部一体型トレーラー４０において、上部構造物５０は、シャシー１１に溶接等で固定されている。また、上部構造物５０は、正面壁５１ａ、右壁５１ｂ、背面壁５１ｃ、左壁５１ｄ、屋根５１ｅを備える。そして、正面壁５１ａには後述するシャワーブースごとに換気扇５２が４台配置されている。また、右壁５１ｂには、エアコン室外機５４が配置され、背面壁５１ｃには、外側に開く２つの引き戸５５、５５、女性用を示すサイン５６、男性用を示すサイン５７が配置されている。
【００３３】
更に、左壁５１ｄには、エアコン室外機５４と分電盤５３とが配置されている。エアコン室外機５４、後述するエアコン室内機６６や図示していない照明等には外部から分電盤５３を介して電力が供給される。なお、屋根５１ｅは矢印ａ方向に雨勾配を備える。
【００３４】
また、図３に示すように、上部構造物５０の内部は内壁５９で仕切られ、女性用洗面室６０と男性用洗面室６１とが分離して配置されている。ここで、女性用洗面室６０には２つのシンク６２ａ、６２ｂや鏡が配置された洗面台６３が、男性用洗面室６１にはシンク６４や鏡等が配置された洗面台６５が配置されている。また、女性用洗面室６０及び男性用洗面室６１には、それぞれエアコン室内機６６が配置されている。
【００３５】
女性用洗面室６０には、２台のシャワー設備６７、６７が設置されている。シャワー設備６７は、女性用洗面室６０と内開きのドア６８を隔てて配置されている。また、シャワー設備６７は、更衣室６９、この更衣室６９と折れ戸７０で仕切られたシャワーブース７１を備える。また、シャワーブース７１には、シャワーヘッド７２、混合切り換え栓７３、小物置７４等が配置されている。
【００３６】
また、男性用洗面室６１にも、同様のシャワー設備６７が２台配置されている。シャワー設備６７の構成は女性用のものと同一である。
【００３７】
本実施形態に係る上部一体型トレーラー４０によれば、上部構造物５０には洗面台６３、６５や更衣室６９、換気扇５２が配置されたシャワーブース７１を備え、エアコン室内機６６が配置されている。よって、上部一体型トレーラー４０において４名が快適にシャワーを浴びることができる。
【００３８】
このため、本実施形態に係る上部一体型トレーラー４０によれば、必要な場所に必要な時期にシャワー設備を設置できるので、シャワー施設として常設することができる他、臨時や緊急の際に必要な箇所まで移動して設置することにより臨時シャワー施設を提供できる。また、本実施形態に係る上部一体型トレーラー４０によれば、上部構造物５０がシャシー１１に固定されているので、上部構造物とシャシーとがずれたりがたついたりせず、振動が少なく、破損のおそれがない。このため、安全に輸送することができる他、設置後における生活設備の使用時においても安心して使用することができる。
【００３９】
＜第３実施形態＞
第３実施形態に係る上部一体型トレーラーは、上部構造物に前記生活設備としてトイレ設備を備えたものである。図５は本発明の第３実施形態に係る上部一体型トレーラーを示す平面図、図６は本発明の第３実施形態に係る同上部一体型トレーラーを示すものであり、（ａ）は正面図、（ｂ）は右側面図、（ｃ）は背面図、（ｄ）は左側面図である。
【００４０】
図６に示すように、上部一体型トレーラー８０は、第１実施形態に係る上部一体型トレーラー１０と同じ構成のシャシー１１とこのシャシー１１の上部に配置された上部構造物９０とからなる。このため、上部一体型トレーラー８０は、駆動車でけん引して所望の箇所に移動して設置できる。
【００４１】
この上部一体型トレーラー８０において、上部構造物９０は、シャシー１１に溶接等で固定されている。また、上部構造物９０は、正面壁９１ａ、右壁９１ｂ、背面壁９１ｃ、左壁９１ｄ、屋根９１ｅを備える。これらの正面壁９１ａ、右壁９１ｂ、背面壁９１ｃ、左壁９１ｄは波板で構成されている。そして、正面壁９１ａには後述するトイレ設備ごとに、換気扇９２が４台配置され、背面壁９１ｃには、引き戸９３が２枚配置され、更に女性用を示すサイン９５、男性用を示すサイン９６を表示している。更に、右壁９１ｂには、エアコン室外機９４が配置され、左壁９１ｄには、エアコン室外機９４と分電盤９７とが配置されている。エアコン室外機９４、後述するエアコン室内機１０５設備や図示していない照明等には外部から分電盤９７を介して電力が供給される。なお、屋根９１ｅには矢印ａ方向に雨勾配が設けられている。
【００４２】
また、図５に示すように、上部構造物９０の内部は内壁１０１で仕切られ、女性用トイレ室１０２と男性用トイレ室１０３とを形成している。女性用トイレ室１０２には洗面台１０４とエアコン室内機１０５とが配置され、男性用トイレ室１０３は、同様に洗面台１０４とエアコン室内機１０５とが配置されている。
【００４３】
本例では、女性用トイレ室１０２にはそれぞれ洋式便器１０６を備えた３つのトイレ設備１０７を備える。トイレ設備１０７には、外開きドア１０８又は内開きドアが配置されている。また、男性用トイレ室１０３には洋式便器１０６を備えた１台のトイレ設備１０７と２台の小便器１０９とを備える。また、女性用トイレ室１０２、男性用トイレ室１０３にはそれぞれ２台の換気扇９２、９２と、エアコン室内機１０５とが配置されている。
【００４４】
本実施形態に係る上部一体型トレーラー８０によれば、上部構造物９０には洗面台やトイレ設備１０７と、エアコン室内機１０５とが配置されているので快適に使用することができる。
【００４５】
このため、本実施形態に係る上部一体型トレーラー８０によれば、必要な場所に必要な時期にトイレ施設を配置できるので、トイレ施設として常設することができる他、臨時や緊急の際に必要な箇所まで移動して設置することにより臨時のトイレ施設を提供できる。また、本実施形態に係る上部一体型トレーラー８０によれば、上部構造物９０がシャシー１１に固定されているので、上部構造物９０とシャシー１１とがずれたりがたついたりせず、振動が少なく、破損のおそれがない。このため、安全に輸送することができる他、設置後におけるトイレ設備の使用時においても安心して使用することができる。
【００４６】
なお、上記各実施形態に係るカプセルベッド設備、トイレ設備、及びシャワー設備の配置状態は上記実施形態に示した例に限らない。これらは、上部一体型トレーラーの室内空間において必要に応じて自由に変更して配置できる。
【産業上の利用可能性】
【００４７】
本発明に係る上部一体型トレーラーは、様々な用途に需要がある生活設備を運搬可能に提供できるため産業上の利用可能性がある。
【符号の説明】
【００４８】
１      ：シャシー
１０    ：上部一体型トレーラー
１１    ：シャシー
１２    ：固定台
１３    ：車輪
１４    ：けん引装置
２０    ：上部構造物
２１ａ  ：正面壁
２１ｂ  ：右壁
２１ｃ  ：背面壁
２１ｄ  ：左壁
２１ｅ  ：屋根
２２    ：ドア
２３    ：サッシュ窓
２４    ：エアコン設備
２５    ：内壁
３０    ：居室
３１    ：カプセルベッド設備
３２    ：手すり
３３    ：ステップ
４０    ：上部一体型トレーラー
５０    ：上部構造物
５１ａ  ：正面壁
５１ｂ  ：右壁
５１ｃ  ：背面壁
５１ｄ  ：左壁
５１ｅ  ：屋根
５２    ：換気扇
５３    ：分電盤
５４    ：エアコン室外機（エアコン設備）
５５    ：引き戸
５６    ：サイン
５７    ：サイン
５９    ：内壁
６０    ：女性用洗面室
６１    ：男性用洗面室
６２ａ  ：シンク
６２ｂ  ：シンク
６３    ：洗面台
６４    ：シンク
６５    ：洗面台
６６    ：エアコン室内機（エアコン設備）
６７    ：シャワー設備
６８    ：ドア
６９    ：更衣室
７０    ：折れ戸
７１    ：シャワーブース
７２    ：シャワーヘッド
７３    ：混合切り換え栓
７４    ：小物置
８０    ：上部一体型トレーラー
９０    ：上部構造物
９１ａ  ：正面壁
９１ｂ  ：右壁
９１ｃ  ：背面壁
９１ｄ  ：左壁
９１ｅ  ：屋根
９２    ：換気扇
９３    ：引き戸
９４    ：エアコン室外機（エアコン設備）
９５    ：サイン
９６    ：サイン
９７    ：分電盤
１０１  ：内壁
１０２  ：女性用トイレ室
１０３  ：男性用トイレ室
１０４  ：洗面台
１０５  ：エアコン室内機（エアコン設備）
１０６  ：洋式便器
１０７  ：トイレ設備
１０８  ：外開きドア
１０９  ：小便器
【要約】
【課題】様々な用途に応えることができる上部一体型トレーラーを提供する。
【解決手段】平面平板上の固定台、固定台に装着された車輪、及び駆動車へのけん引装置からなるシャシーの上部に配置した上部構造物からなる上部一体型トレーラーであって、上部構造物は、シャシーに固定されていると共に、生活設備として、カプセルベッド設備を、トイレ設備、シャワー設備、又は喫煙設備を備えている。
【選択図】図１【図１】
0006816321.tif 000002
【図２】
0006816321.tif 000003
【図３】
0006816321.tif 000004
【図４】
0006816321.tif 000005
【図５】
0006816321.tif 000006
【図６】
0006816321.tif 000007